(57)【特許請求の範囲】
【請求項１】
口腔内の頬粘膜と歯茎の移行部である齦頬移行部付近から顎堤歯肉にかけて着脱可能な美容用可撤式装置であって、
前記齦頬移行部付近から顎堤歯肉かけて適合、維持させるプレートと、該プレート上に設けられた、装着する者の口腔内の形態、状態に応じて所定の厚み及び膨らみを有する豊隆部とを備え、
使用時に、口腔内の上顎と下顎の両方の位置に、歯に接触しないように、前歯近傍には取り付けられず且つ奥歯近傍に取り付けられ、咬み合せには障害にならず咀嚼も通常どおり可能であり、バネ無しの方法で口腔内に維持され、
装着者個々の口腔内の形態、状態に応じた形態をしていることを特徴とする美容用可撤式装置。
【請求項２】
前記プレートが、レジンからなる、請求項１記載の美容用可撤式装置。
【請求項３】
前記豊隆部が、前記プレートに使用したレジンに厚みをもたせた、前記プレートと一体型のものである、請求項２記載の美容用可撤式装置。
【請求項４】
請求項１〜３の何れかに記載の美容用可撤式装置を、口腔内の上顎と下顎の両方の位置に、歯に接触しないように、前歯近傍には取り付けず且つ奥歯近傍に、バネ無しで口腔内に維持するように取り付けることを特徴とする、表情を豊かにする方法。
【発明の詳細な説明】
【技術分野】
【０００１】
本発明は、表情を豊かにする可撤式装置に関し、詳しくは、加齢や骨格的要因による頬の痩せ、又は、口唇周囲のシワ、たるみ等を改善させる為の、顔の表情を豊かにする可撤式装置及びこれを用いて表情を改善する方法に関する。
【背景技術】
【０００２】
従来、加齢、骨格的要因による頬の痩せや、口唇周囲のシワ、たるみは、美容整形等での、外科オペ或いは、ヒアルロン酸注入等でなければ改善されなかった。しかし、このような方法に対しては、オペ等に対する不安や費用という高いハードルがあった。
【０００３】
年齢を重ねていくにつれて、徐々に頬がコケてしまうことがある。また、年齢より老けて見えてしまうこともあり、暗そう、或いは周囲に不健康な印象を与えてしまうこともある。このため、健康的なハリのある頬や表情を取り戻したいと思っている人は多いはずである。
【０００４】
このように頬がコケる原因としては、種々のことが考えられるが、頬のコケの主な原因は、表情筋の衰えである。肌を内側から支える筋肉が失われてしまうと、徐々に頬がくぼんでしまう。また、遺伝的に顔が痩せやすい場合、それほど表情筋が衰えていなくても、頬がこけてしまう場合がある。
【０００５】
一般的にはシワの治療法として、最近もてはやされているヒアルロン酸注入による方法がある。この方法は、コケてしまった頬をふっくらさせるための方法としても活用されている。メスを用いず、注射だけで施術できることが最大の強みらしく、痛みも少ないことから、手軽な治療として受け入れられていると考えられる。
しかし、ヒアルロン酸ですらまだまだ不安要素は沢山有るのが現状であり、これに代わり不安を一掃した方法・製品の開発が望まれていた。
【発明の概要】
【発明が解決しようとする課題】
【０００６】
そこで、本発明は、オペや薬剤注入法のような不安もなく、加齢や骨格的要因による頬の痩せ、又は、口唇周囲のシワ、たるみ等を改善させることのできる装置又は方法を提供することを目的とする。
【課題を解決するための手段】
【０００７】
本発明者等は、前記課題を解決するべく鋭意研究した結果、口腔内（口の中）における特定の部位において装着及び取外し可能で、装着者個々に応じた大きさ及び形態の装置を用いることにより、前記目的を達成し得ることの知見を得た。
【０００８】
本発明は、前記知見に基づきなされたもので、下記の発明を提供することにより、その目的を達成したものである。
【０００９】
１．口腔内の頬粘膜と歯茎の移行部である齦頬移行部付近から顎堤歯肉にかけて着脱可能な美容用可撤式装置であって、
前記齦頬移行部付近から顎堤歯肉かけて適合、維持させるプレートと、該プレート上に設けられた、装着する者の口腔内の形態、状態に応じて所定の厚み及び膨らみを有する豊隆部とを備え、
使用時に、口腔内の上顎と下顎の両方の位置に、歯に接触しないように、前歯近傍には取り付けられず且つ奥歯近傍に取り付けられ、咬み合せには障害にならず咀嚼も通常どおり可能であり、バネ無しの方法で口腔内に維持され、
装着者個々の口腔内の形態、状態に応じた形態をしていることを特徴とする美容用可撤式装置。
【００１０】
２．前記プレートが、レジンからなる、前記１記載の美容用可撤式装置。
【００１１】
３．前記豊隆部が、前記プレートに使用したレジンに厚みをもたせた、前記プレートと一体型のものである、請求項２記載の美容用可撤式装置。
【００１２】
４．前記１〜３の何れかに記載の美容用可撤式装置を、口腔内の上顎と下顎の両方の位置に、歯に接触しないように、前歯近傍には取り付けず且つ奥歯近傍に、バネ無しで口腔内に維持するように取り付けることを特徴とする、表情を豊かにする方法。
【発明の効果】
【００１３】
本発明によれば、オペや薬剤注入方法のような不安がなく、加齢や骨格的要因による頬の痩せ、又は、口唇周囲のシワ、たるみ等を改善させることができる。
特に、本発明に係る装置は取外し式であり、オペや薬剤注入といった不安も全く感ずる事なく、外出時等、装着者自身の必要な時だけ装着するといった利便性も有り、顔の表情を改善する方法として、より身近な手法であると確信している。
そして、本発明に係る装置は取り外せるという強みが有り、従来方法のような不安を一掃した製品である。
【図面の簡単な説明】
【００１４】
【図１】図１（ａ）は、本発明の一実施形態に係る可撤式装置を使用したときの装着者の口腔内の状態を示す斜視図である。図１（ｂ）及び（ｃ）は、それぞれ本実施形態に係る可撤式装置の使用前後における頬、口唇周囲の状態を示す正面図である。
【図２】図２（ａ）は、本実施形態に係る可撤式装置の使用前におけるモデルの頬、口唇周囲の状態を示す正面図である。図２（ｂ）は、図２（ａ）のモデルの口腔内部分の一部断面を示す正面図である。図２（ｃ）は、図２（ａ）のモデルが本実施形態に係る可撤式装置を使用した際の頬、口唇周囲の状態を示す正面図である。図２（ｄ）は、図２（ｃ）のモデルの口腔内部分の一部断面を示す正面図である。
【図３】図３（ａ）は、本実施形態に係る可撤式装置を上顎に左右２個を使用した状態を示す口腔内上顎部の概略図である。図３（ｂ）は、本実施形態に係る可撤式装置を下顎に左右２個を使用した状態を示す口腔内下顎部の概略図である。
【図４】図４（ａ）は、本実施形態に係る可撤式装置を装着するための口腔内の位置等を示す説明図である。図４（ｂ）は、装着者の顔の口腔内部分を一部断面にして装着位置等を示す説明図である。
【発明を実施するための形態】
【００１５】
以下、本発明について、その好ましい実施形態に基づき詳細に説明する。
本発明の一実施形態に係る可撤式装置を使用した状態を図１（ａ）に示す。本実施形態に係る可撤式装置１０は、図１（ａ）に示すように、これを装着しようとする者の口腔内所定の位置に使用することにより、図１（ｂ）のような頬の痩せ、コケ、口唇周囲のシワ、たるみがある状態から、図１（ｃ）のような頬、口唇周囲がふっくらとして、健康的でハリのある状態に改善される。これにより、可撤式装置１０を装着した者の顔全体の表情を豊かにすることができる。
【００１６】
なお、図１（ａ）では、装着者の口腔内における右側の上下顎部位に可撤式装置１０を取り付けた場合を図示しているが、図１（ｃ）は、上下顎ともに左右２個を使用した状態での表情を示している（図３（ａ）及び（ｂ）参照）。
【００１７】
このように、可撤式装置１０の使用前後における頬、口唇周囲の状態の変化は、図１（ｂ）及び（ｃ）の対比により確認できる。すなわち、口腔内に可撤式装置１０を使用することで、図１（ｃ）の丸点線部位（４箇所）において、頬のコケや口唇周囲のシワ等（図１（ｂ））が解消したことにより、頬や、口唇周囲のハリや膨らみを得ることができる。
【００１８】
本実施形態に係る可撤式装置１０について、図４（ａ）及び（ｂ）により、当該可撤式装置１０を装着するための口腔内の位置等を示しながら、その構成について説明する。図４（ａ）は、可撤式装置１０の口腔内における装着位置をわかりやすく示すために、上下両歯及び舌とともに口腔内部分の頬粘膜を省略した正面図である。図４（ｂ）は、口腔内部分を一部断面にして可撤式装置１０の装着位置等を説明するための正面図である。
【００１９】
本実施形態に係る可撤式装置１０は、口腔内の頬粘膜１と歯茎（歯齦）２の移行部である齦頬移行部３付近から顎堤歯肉上に着脱可能なものであり、この齦頬移行部３付近から顎堤歯肉に適合、維持させて装着し、使用される。ここで、齦頬移行部３とは、図４（ａ）及び（ｂ）に示す通り、頬粘膜１と歯茎２とをつなぐ部分である。
【００２０】
そして、可撤式装置１０は、図１（ａ）に示すように、齦頬移行部３付近から顎堤歯肉にかけて適合、維持させるプレート１１と、該プレート１１上に設けられた、装着する者の口腔内の形態、状態に応じて所定の厚み及び膨らみを有する豊隆部１２とを備える構成となっている。
【００２１】
本実施形態に係る可撤式装置１０によれば、かかる構成からなるものであるため、頬や、口唇周囲にハリをもたせることができる。可撤式装置１０を使用した場合でも、咬み合せ面には障害にならないため、咀嚼も通常どおり可能である。
【００２２】
可撤式装置１０を装着する際の口腔内（齦頬移行部３付近から顎堤歯肉）に維持する方法としては、部分入れ歯を維持する仕組みと同様に、金属のバネ（クラスプ）や、シルキーデンチャーのようなバネ無しの方法が主として採用できる。
【００２３】
本実施形態に係る可撤式装置１０に用いられるプレート１１の材質は、歯科において、通常利用されている材料、例えば、レジン（一般的な歯科医院で製作されるレジン床義歯と同材料）又は金属床等が挙げられる。
【００２４】
また、可撤式装置１０における豊隆部１２に使用する材質は、プレートに使用したレジンをそのまま厚くしたものや、シリコンラバーや、使い捨てのジェル、ゲル状の小袋式（貼り付け式）等を採用することができる。
本実施形態においては、豊隆部１２がプレート１１と一体のものが好ましく用いられる。図２（ｄ）に示す可撤式装置１０の様に、レジンに厚みをもたせた一体型のもの（豊隆部としてプレートに使用したレジンをそのまま厚くしたもの）である。このように、一体型とすることで、簡便に使用材料の選定や可撤式装置の製作ができるという利点がある。
【００２５】
本実施形態に係る可撤式装置１０を製作するには、歯科医院で義歯を製作する過程と同様の方法を採用でき、全ては個々の口腔内の形態、状態によって千差万別であるため、完全なオーダーメイドである。そして、プレート１１に厚み、膨らみをもたせた豊隆部１２を備えた可撤式装置１０を、例えば歯科分野の部分義歯の要領により製作し、頬粘膜１と歯茎２の移行部である齦頬移行部３付近から顎堤歯肉に装着する。
【００２６】
その製作法の例としては、通常、アルジネート印象材又はシリコンラバー系印象材を用いて従来通りの義歯製作方法と同様に型を取り、石膏を注ぎ石膏模型を製作し、その後も義歯の製作過程と同様である。最終調整は個々の口腔内で、適合状態を確認しながら行う。個々の状態により、調整、修正できる。
【００２７】
次に、本実施形態に係る可撤式装置１０の使用例を説明する。
図３（ａ）及び（ｂ）に示すように、可撤式装置１０は、上下両方（計４個）又は、上顎のみ（左右で２個）又は下顎のみ（左右で２個）で使用となる。
この使用例では、図２（ａ）及び（ｂ）に示すヤセ顔のモデルが、本実施形態の可撤式装置１０を所定位置（図２（ｄ）の該当部）に装着することにより、頬部４に膨らみをもたすことができる（図２（ａ）と（ｃ）の頬部を対比参照）。
【００２８】
また、図２（ｃ）及び（ｄ）の矢印に示すように、頬粘膜１が多少上方へ引き上がるため、口唇周囲にハリが出て、口唇の向きも変わる（図２（ａ）と（ｃ）の口唇を対比参照）。
【００２９】
以上、詳述したとおり、本実施形態に係る可撤式装置１０を例として本発明を説明したが、本発明はかかる実施形態に限定されるものではなく、本発明の趣旨を逸脱しない範囲で適宜に変更可能であり、それらも本発明の範疇に包含されるものである。
【００３０】
本発明においては、前述した可撤式装置を、口腔内の上顎若しくは下顎、又は上下両方の顎に取り付ける、表情を豊かにする方法を提供することもできる。かかる方法によれば、前記可撤式装置を所望の箇所に一又は二以上で用いることで、従来の美容整形等での外科オペやヒアルロン酸注入等によらずに、健康的なハリのある頬や表情を得ることができ、ヤセ顔の人や年齢を重ねた場合でも健康的な印象を保持できる。このため、本発明の装置及び方法は、美容分野においても広く適用され得る。
【符号の説明】
【００３１】
１：頬粘膜
２：歯茎（顎堤歯肉）
３：齦頬移行部
４：頬部
１０：可撤式装置
１１：プレート（床）
１２：豊隆部
【要約】      （修正有）【課題】オペや薬剤注入方法のような不安がなく、加齢や骨格的要因による頬の痩せ、又は、口唇周囲のシワ、たるみ等を改善させることのできる装置又は方法を提供する。【解決手段】可撤式装置１０は、口腔内の頬粘膜と歯茎２の移行部である齦頬移行部３付近から顎堤歯肉にかけて、着脱可能であって、前記齦頬移行部３付近から顎堤歯肉にかけて、適合、維持させるプレート１１と、該プレート１１上に設けられた、装着する者の口腔内の形態、状態に応じて所定の厚み及び膨らみを有する豊隆部１２とを備えている。【選択図】図１【図１】
0005821156.tif 000002
【図２】
0005821156.tif 000003
【図３】
0005821156.tif 000004
【図４】
0005821156.tif 000005